(57)【特許請求の範囲】
【請求項１】
カードリーダで読取られた座席指定券の券情報或いは券売機等で発券された座席指定券の発券情報等を管理する管理センターに備えられるホストコンピュータと、該ホストコンピュータと通信回線で結ばれて、指定座席を設置管理する座席管理地に備えられる端末機とから成る、指定座席を管理する座席管理システムであって、
前記ホストコンピュータが、前記券情報と前記発券情報とを入力する入力手段と、該入力手段によって入力された前記券情報と前記発券情報とに基づき、かつ、前記座席管理地に設置される指定座席のレイアウトに基づいて表示する座席表示情報を作成する作成手段と、該作成手段によって作成された前記座席表示情報を記憶する記憶手段と、該記憶手段によって記憶された前記座席表示情報を伝送する伝送手段と、
前記端末機が、前記伝送手段によって伝送された前記座席表示情報を入力する入力手段と、該入力手段によって入力された前記座席表示情報を記憶する記憶手段と、該記憶手段によって記憶された前記座席表示情報を表示する表示手段と、
を備えて成ることを特徴とする座席管理システム。
【請求項２】
カードリーダで読取られた座席指定券の券情報或いは券売機等で発券された座席指定券の発券情報等を管理する管理センターに備えられるホストコンピュータと、該ホストコンピュータと通信回線で結ばれて、複数の座席管理地に備えられる端末機とから成る、指定座席を管理する座席管理システムであって、
前記ホストコンピュータが、前記券情報と前記発券情報とを入力する入力手段と、該入力手段によって入力された前記券情報と前記発券情報とを、複数の前記座席管理地又は前記端末機を識別する座席管理地識別情報又は端末機識別情報別に集計する集計手段と、該集計手段によって集計された前記券情報と前記発券情報とに基づき、かつ、前記座席管理地に設置される指定座席のレイアウトに基づいて表示する座席表示情報を作成する作成手段と、該作成手段によって作成された前記座席表示情報を記憶する記憶手段と、該記憶手段によって記憶された前記座席表示情報を伝送する伝送手段と、
前記端末機が、前記伝送手段によって伝送された当該座席管理地識別情報又は端末機識別情報の前記座席表示情報を入力する入力手段と、該入力手段によって入力された前記座席表示情報を記憶する記憶手段と、該記憶手段によって記憶された前記座席表示情報を表示する表示手段と、
を備えて成ることを特徴とする座席管理システム。
【発明の詳細な説明】
【０００１】
【発明の属する技術分野】
本発明は、指定座席を管理する座席管理システムに関する。
【０００２】
【従来の技術】
従来、指定座席を管理する座席管理システムとしては、カードリーダで読取られた座席指定券の券情報及び券売機等で発券された座席指定券の発券（座席予約）情報等を、例えば列車車内において、端末機（コンピュータ）で受けて記憶し表示して、指定座席の利用状況を車掌が目視できるようにして車内検札を自動化する座席指定席利用状況監視装置（特公Ｈ５−４７８８０号公報）が発明されている。
【０００３】
図２は、前記座席指定席利用状況監視装置に備えられる端末機の概略図を示すもので、券情報入力１５で受けたカードリーダで読取られた座席指定券の券情報と、発券情報入力１６で受けた券売機等で発券された座席指定券の発券情報等の情報をＣＰＵ１７に記憶して情報処理して、各指定座席の使用及び空席等の利用状況をディスプレイ１８に表示して、該表示を車掌が目視できるようにして、車内検札を自動化した座席管理装置である。
【０００４】
このように、前記座席指定席利用状況監視装置は、共に指定座席の使用及び空席等の利用状況を表示する座席表示情報となり、かつ、車内検札を自動化するのに絶対不可欠な前記券情報或いは前記発券情報を用いて、列車車内において各指定座席の利用状況を表示するようにしたことで、初めて車内検札を自動化した画期的な発明である。さらに共に表示情報として作用する前記券情報と前記発券情報との両情報を独立して表示できるとともに、前記発券情報による表示を前記券情報による表示に優先して表示して発券されていない例えば変造や偽造の座席指定券の使用を防止できるようにしているが、例えばこれ等の両情報を地上の管理センターから受ける場合、伝送される情報は２種になるために通信回線の負担を１種の場合に比べて２倍にするとともに端末機の記憶容量と処理速度とをともに２倍にするなどの問題がある。
【０００５】
【発明が解決しようとする課題】
本発明が解決しようとする課題は、上記発明の座席指定席利用状況監視装置は上記券情報と上記発券情報とに基づいて各座席指定席の利用状況を表示するにはこれ等の両情報を地上の管理センターから受ける場合、伝送される情報量が２倍になるために、該情報を伝送する通信回線の負担を２倍にするとともに端末機の記憶容量と処理速度とをともに２倍にするなどの点にある。
【０００６】
【課題を解決するための手段】
上記問題を解決するために、本発明は、上記管理センターに備えられるホストコンピュータが、カ−ドリーダで読取られた座席指定券の券情報と券売機等で発券された座席指定券の発券情報とを入力して、これ等の両情報に基づいて表示する座席表示情報を作成して、作成された前記座席表示情報を、前記ホストコンピュータと通信回線で結ばれて、指定座席を設置管理する座席管理地に備えられる端末機へ伝送して、該端末機が、前記座席表示情報を入力して表示してするように構成したことを主要な特徴とする。
【０００７】
【作用】
本発明は、これ等の構成によって、上記ホストコンピュータから上記端末機へ伝送される情報量が上記券情報と上記発券情報との両表示情報から１つの表示情報となる上記座席表示情報にすることで半減され、これによって通信回線の負担と端末機の記憶容量と処理速度とを半減する。
【０００８】
【実施例】
図１は本発明の座席管理システムのブロック図であって、ホストコンピュータ１は、カードリーダ（改札機等）で読取られた座席指定券の券情報或いは券売機等で発券された座席指定券の発券情報等を管理する管理センターに備えられて、端末機２は、ホストコンピュータ１と通信回線で結ばれて、指定座席を設置管理する座席管理地に備えられる。
【０００９】
ホストコンピュータ１において、券情報入力３は前記券情報を受けてこれをＣＰＵ６へ入力して、さらに発券情報入力４は前記発券情報を受けてこれをＣＰＵ６へ入力して、制御情報入力５は端末機２から情報の伝送を指令する伝送指令情報或いは前記座席管理地において発券された座席指定席の発券情報等を受けてこれ等の情報をＣＰＵ６へ入力する。
【００１０】
ＣＰＵ６は、券情報入力３から入力された前記券情報及び発券情報入力４から入力された前記発券情報それに制御情報入力５から入力された前記発券情報等を記憶するとともに、これ等の情報に基づき、かつ、前記座席管理地に設置される指定座席のレイアウトに基づいて、例えば前記券情報及び前記発券情報の両情報又は前記発券情報が存在するときは「１」（使用席）とし、前記券情報のみが存在するとき又は両情報が存在しないときは「０」（空席）として、各指定座席の利用状況を表示する座席表示情報を作成して、これを記憶するとともに、該座席表示情報を、制御情報入力５から前記伝送指令情報が入力されたとき表示情報出力８へ出力する。
【００１１】
ディスプレイ７はＣＰＵ６に記憶された前記座席表示情報を受けて表示し、さらに表示情報出力８は、制御情報入力５が前記伝送指令情報を受けてＣＰＵ６に入力したときＣＰＵ６から出力された前記座席表示情報を通信回線に乗せて端末機２へ伝送する。また操作部９は、ＣＰＵ６のプログラムのシーケンスを制御して、前記した各種情報の入力の受付や、前記座席表示情報を受けて表示されるディスプレイ７の画像をスクロールする等の操作をする。
【００１２】
次に、端末機２において、表示情報入力１０は、ホストコンピュータ１と通信回線で結ばれて、伝送された前記座席表示情報を受けてこれをＣＰＵ１１へ入力する。
【００１３】
ＣＰＵ１１は表示情報入力１０から入力された前記座席表示情報を受けてこれを記憶するとともに、ホストコンピュータ１へ情報の伝送を指令する伝送指令情報を記憶する。さらにディスプレイ１２はＣＰＵ１１に記憶された前記座席表示情報を受けて、当該座席管理地に設置される指定座席のレイアウトに基づいて各指定座席の利用状況を表示する。
【００１４】
操作部１３は、ＣＰＵ１１のプログラムのシーケンスを制御して、ホストコンピュータ１に対してする情報の伝送を指令する伝送指令情報と、当該座席管理地で発券された座席指定券の発券情報とを制御情報出力１４へ出力し、さらに該発券情報をＣＰＵ１１へ入力して、先にＣＰＵ１１に記憶された座席表示情報を更新し、また、表示されるディスプレイ１２の画像をスクロールする等の操作をする。
【００１５】
制御情報出力１４は、操作部１３の操作によって出力されたＣＰＵ１１からの前記伝送指令情報、それに前記発券情報等の各情報を出力して、これを通信回線に乗せてホストコンピュータ１へ伝送する。
【００１６】
これ等のことから、本発明の座席管理システムは、カードリーダ（改札機等）で読取られた座席指定券の券情報或いは券売機等で発券された座席指定券の発券情報等を管理する管理センターに備えられるホストコンピュータ１が、前記券情報と前記発券情報、それに、ホストコンピュータ１と通信回線で結ばれて、指定座席を設置管理する座席管理地に備えられる端末機２からの、当該座席管理地で発券された座席指定券の発券情報等を受けて、これ等の情報に基づいて、かつ、前記座席管理地に設置される指定座席のレイアウトに基づいて座席表示情報を作成して、これを表示するとともに、作成された座席表示情報を、端末機２からの前記座席表示情報の伝送を指令する伝送指令情報を受けて伝送して、さらに、端末機２が、ホストコンピュータ１から伝送された前記座席表示情報を受けてこれを表示するとともに、当該座席管理地において、座席指定券が発券されたときの発券情報によって前記座席表示情報及びその表示が更新されて、座席管理者が各指定座席の利用状況を目視できるようにしている。
【００１７】
なお、前記座席管理地が複数の場合は、ホストコンピュータ1でする前記座席表示情報の作成は、前記券情報と前記発券情報とを前記座席管理地又は端末機2を識別する座席管理地識別情報又は端末機識別情報別に集計して複数について成され、さらに当該座席管理地に備えられる端末機2は、ホストコンピュータ1で作成された座席管理地識別情報又は端末機識別情報別の座席表示情報の中から当該座席管理地識別情報又は端末機識別情報のものを選択して入力して表示されるようにプログラムする。
【００１８】
さらに、端末機２でする前記座席表示情報の表示は、当該座席管理地に設置される指定座席の各座席ごとの着席されているか否かに係る着席情報を入力して、該着席情報と前記座席表示情報とに基づいて新たな座席表示情報を作成して表示して、各指定座席の利用状況の表示をより正確にするとともに、例えば座席指定券が発券されていない座席が占有されるような場合であっても、これを表示して座席管理者がリアルタイムに目視確認できるようにして、指定座席の間違え又は不正占有等の発見をリアルタイムに、かつ、迅速にできるようにするとよい。
【００１９】
また、端末機２がする表示は前記券情報又は前記発券情報の１情報について行うことができ、また、端末機２は、当該座席理管理地に、同一表示し、かつ、通信回線（無線）で結ばれたものを複数備えて、複数の座席管理者がそれぞれに携帯して利用できる。また、本発明の座席管理システムは、特急列車や船舶等の移動体、それに地上の競技場等の施設に利用できる。
【００２０】
【発明の効果】
以上説明したように本発明の座席管理システムは、上記管理センターに備えられるホストコンピュータが、カードリーダ（改札機等）で読取られた座席指定券の券情報と券売機等で発券された座席指定券の発券情報とを入力して、これ等の両情報に基づいて表示する座席表示情報を作成して、作成された前記座席表示情報を、前記ホストコンピュータと通信回線で結ばれて、指定座席を設置管理する座席管理地に備えられる端末機へ伝送して、該端末機が前記座席表示情報を入力して表示してするようにしたことで、該端末機がする各指定座席の利用状況の表示を前記券情報と前記発券情報との両表示情報から１つの表示情報となる前記座席表示情報で実現できるようになり、これによって前記ホストコンピュ−タから前記端末機へ伝送する情報量が半減され、通信回線の負担と端末機の記憶容量と処理速度等を軽減するとともに、端末機のコストダウンが計られて、本発明のシステムの構築を容易にする。
【図面の簡単な説明】
【図１】本発明の座席管理システムのブロック図である。
【図２】従来の座席管理システムである座席指定席利用状況監視装置（特公Ｈ５−４７８８０号公報）に備えられる端末機の概略図である。
【符号の説明】
１  ホストコンピュータ
２  端末機
３  券情報入力
４  発券情報入力
５  制御情報入力
６  ＣＰＵ
７  ディスプレイ
８  表示情報出力
９  操作部
１０  表示情報入力
１１  ＣＰＵ
１２  ディスプレイ
１３  操作部
１４  制御情報出力
１５  券情報入力
１６  発券情報入力
１７  ＣＰＵ
１８  ディスプレイ
１９  操作部
【図１】
0003995133.tif 000002
【図２】
0003995133.tif 000003